(57)【特許請求の範囲】
【請求項１】
液体製品を含むパウチと共に使用するためのパウチ取り付け具用の挿入物アセンブリであって、
拡張部、及び通路を備える伸長部を含む、ベント型挿入物と、
前記ベント型挿入物の前記拡張部に除去可能及び挿入可能なように取り付けられたキャリアであって、前記ベント型挿入物の前記拡張部の内部に摩擦嵌合するようなサイズにされた、キャリアと、
キャリアに取り付けられ、かつ、前記通路に流動的に結合され、製品からのガスがそこを通過することを許容する膜と、を備え、
前記ベント型挿入物の前記伸長部の少なくとも一部は、開位置において前記パウチの一部を通って伸びている、挿入物アセンブリ。
【請求項２】
膜が液体不透過性である、請求項１に記載の挿入物アセンブリ。
【請求項３】
膜が延伸ポリテトラフルオロエチレン（ｅＰＴＦＥ）とポリエチレンの裏材とを備える、請求項１に記載の挿入物アセンブリ。
【請求項４】
膜のポリエチレンの裏材がキャリアに取り付けられている、請求項３に記載の挿入物アセンブリ。
【請求項５】
キャリアが、第１の端部、第２の端部、内壁及び外壁を有する中空形状を備える、請求項１に記載の挿入物アセンブリ。
【請求項６】
膜はキャリアの第１の端部でキャリアに取り付けられている、請求項５に記載の挿入物アセンブリ。
【請求項７】
膜はキャリアの内壁内の領域に実質的に等しいサイズにされている、請求項５に記載の挿入物アセンブリ。
【請求項８】
膜はキャリアの第１及び第２の端部の間に配置される、請求項５に記載の挿入物アセンブリ。
【請求項９】
キャリアは中空の円筒形状である、請求項５に記載の挿入物アセンブリ。
【請求項１０】
製品の封じ込めシステムであって、
液体製品を保持するように構成されたパウチ容器と、
前記容器に結合された取り付け具と、
拡張部、及び通路を備える伸長部を含むベント型挿入物であって、前記伸長部は、開位置及び閉位置に配置可能である前記取り付け具中に挿入され、前記ベント型挿入物の前記伸長部の少なくとも一部は、前記開位置において前記パウチ容器の一部を通って伸びている、ベント型挿入物と、
前記ベント型挿入物の前記拡張部に除去可能及び挿入可能に取り付けられるベントアセンブリであって、前記ベントアセンブリは、キャリアを貫通する開口部及びキャリアに取り付けられる液体不透過性膜を有するキャリアを備え、前記キャリアは、前記ベント型挿入物の前記拡張部の内部に摩擦嵌合するようなサイズにされた、ベントアセンブリと、を備え、
前記ベントアセンブリの膜は、前記ベント型挿入物が開位置にあるときに、液体製品からのガスが前記通路及び前記ベントアセンブリを通過することを許容する、製品の封じ込めシステム。
【請求項１１】
液体不透過性膜は、容器の外側にある、請求項１０に記載の製品の封じ込めシステム。
【請求項１２】
膜は延伸ポリテトラフルオロエチレン（ｅＰＴＦＥ）部分及びポリエチレン部分を含む、請求項１０に記載の製品の封じ込めシステム。
【請求項１３】
膜のｅＰＴＦＥ部分が、キャリアの開口部のサイズに実質的に等しいサイズにされている、請求項１２に記載の製品の封じ込めシステム。
【発明の詳細な説明】
【技術分野】
【０００１】
本発明は、一般的に、製品の封じ込めシステムのためのベント型挿入物に関する。より詳細には、限定はしないが、本発明は、ガスを放出する製品を含む柔軟なパウチ容器をベントするために使用されるパウチ取り付け具用の挿入物アセンブリに関する。
【背景技術】
【０００２】
製品を保管するために使用される容器の１つのタイプは、柔軟な容器又はパウチである。柔軟な容器又はパウチは、ベントを必要とする製品を保管するために使用される場合は特に制約を有する。例えば、過酸化物ベースのクリーナーは、ベントシステムを含む容器又はパウチに最もよく保管されて使用される。いくつかの容器及びパウチは、容器又はパウチに及び容器又はパウチから製品を吐出及び分配するための取り付け具を含む。取り付け具は、１つ若しくは複数のガスをパウチから放出されることを許容し、その中の圧力を低下させる、選択的に開閉され又は開閉を流動的に制御され得る連絡通路（passageway）又は通路（passage）を含む。挿入物は取り付け具に挿入され、ガスが漏れ出ることを許容されるかどうか制御するのに役立ち得る。
【０００３】
１つのコンセプトは、ベント型の栓を備える別個の取り付け具にベント型の膜を使用することである。しかしながら、容器中の製品が容器内をバシャバシャとはね、ベント型の膜材料と接触したときに、膜は湿潤することが知られている。この取り付け具のコンセプトは、角度のあるチャネル内のチェックボール及びベント型の栓を利用する。膜の乾燥を維持することが、柔軟なパッケージにおいて特に困難であるのはこのためである。
【０００４】
したがって、製品の輸送、保管、及び／又は使用中にガスを放出する製品を含む、柔軟なパウチのようなパウチをベントするための改善された方法及び手段が当該技術分野において必要である。アセンブリ内のベント膜を湿潤させない新たなベント取り付け具も当該技術分野において必要である。
【発明の概要】
【０００５】
したがって、当該技術分野における欠点を克服する装置を提供することが、本発明の主な目的、特徴、及び／又は利点である。
【０００６】
ガス放出製品を含む柔軟な容器又はパウチのベントを可能にする装置又はアセンブリを提供することが、本発明の別の目的、特徴、及び／又は利点である。
【０００７】
液体製品がアセンブリの膜を湿潤させることを制限又は防止する装置又はアセンブリを提供することが、本発明のさらに別の目的、特徴、及び／又は利点である。
【０００８】
既存の挿入物及び／又は取り付け具に容易に取り付けられる装置又はアセンブリを提供することが、本発明のさらに別の目的、特徴、及び／又は利点である。
【０００９】
製品から離れたパッケージの外側にベント膜を備える取り付け具を使用することによって柔軟なパウチをベントすることが、本発明のさらなる目的、特徴、及び／又は利点である。
【００１０】
取り付け具における挿入物の正しい向きを保証するのに役立つことが、本発明のさらなる目的、特徴、及び／又は利点である。
【００１１】
本発明のこれら及び／又は他の目的、特徴、及び利点は、当業者には明らかであろう。本発明は、これらの目的、特徴及び利点に、又はこれらの目的、特徴及び利点によって限定されるものではない。ひとつの実施形態も、ありとあらゆる目的、特徴、又は利点を提供する必要はない。
【００１２】
本発明の一態様によれば、製品を含むパウチで使用するためのパウチ取り付け具用の挿入物アセンブリを提供する。アセンブリは、通路を備えたベント型挿入物を含む。キャリアは動作可能なように挿入物に取り付けられる。膜は、キャリアに取り付けられ、かつ、通路に流動的に結合されて、製品からのガスがそこを通過することを許容する。膜はポリエチレンの裏材を備える又は備えない延伸ポリテトラフルオロエチレン（ｅＰＴＦＥ）であってもよい。膜は、パウチ内の製品をベントするために、キャリアを貫通する開口部をカバー又は遮断するサイズにされ得る。
【００１３】
本発明の別の態様によれば、オフガス製品を含むパウチのベントを補助するためのベントアセンブリを提供する。アセンブリは、第１の端部から第２の端部に延在する開口部を備え、かつ、内壁と外壁を含む、キャリアを含む。膜は、膜がキャリアの内壁内の領域に実質的に等しい領域を遮断するようにキャリアに取り付けられ得る。膜は、液体不透過性材料を含み、かつキャリアの第１端部、キャリアの第２端部、又は一般的に第１及び第２端部の任意の場所に配置され得る。
【００１４】
本発明のさらに別の態様によれば、製品の封じ込めシステムが提供される。該システムは、液体製品を保持するように構成された容器を含み、柔軟性又は剛性であり得る。取り付け具は容器に結合される。取り付け具におけるベント型挿入物は、開位置と閉位置との間に配置することができる。ベントアセンブリはベント型挿入物に取り付けられ、該ベントアセンブリは、そこを通過する開口部を有するキャリア及び該キャリアに取り付けられる液体不透過性膜を備える。ベントアセンブリの膜は、ベント型挿入物が開位置にあるときに、液体製品からのガスがベントアセンブリを通過することを許容する。
【図面の簡単な説明】
【００１５】
図１は、本発明の一態様に従う製品の封じ込めシステムの斜視図である。
図２は、図１の線２−２に沿った断面図である。
図３は、図２の線３−３に沿った挿入物アセンブリと、対応する取り付け具との図である。
図４は、図３に示した挿入物アセンブリと、対応する取り付け具との分解図である。
図５は、本発明の態様に従うベントアセンブリの斜視図である。
図６Ａ−６Ｃは、ベントアセンブリの実施形態を示す断面図である。
図７Ａ−７Ｃは、本発明に従うベントアセンブリのさらなる実施形態を示す斜視図である。
【発明を実施するための形態】
【００１６】
図１は、封じ込めシステム１０の斜視図である。封じ込めシステム１０は、容器壁１４を有する容器又はパウチ１２を含む。図２で示されるように、製品の移動と、ディスペンサー（図示せず）又は他の最終目的地の製品の分配の前及び間に製品１６を保持することとの両方のために、製品１６はパウチ１２内に収容される。製品１６は、前記製品１６によって生成したオフガスのためにベントを要する過酸化物又は他の成分を含有する化学物質を含んでもよい。例えば、過酸化物は、ガスが容器内の圧力を増加させるようなオフガスを生成することが知られており、これは、容器１２の壁１４に損傷を与えるだろう。これは、容器１２に破れ又は亀裂を生じさせ、製品１６を無用のものにするだろう。
【００１７】
したがって、図に示すように、挿入物アセンブリ２６及びベントアセンブリ２８が、容器１２に含まれ、製品１６のオフガスが、容器１２の壁１４を介してベントされることを許容する。図１及び図２に示されるように、挿入物アセンブリ２６は、容器１２の壁１４を介して配置される。以下に詳細に記載されるように、挿入物アセンブリ２６は、取り付け具１８に動作可能に取り付けられるベントアセンブリ２８において、かつ、製品の壁１４を介して広がる取り付け具１８を一般的に含む。挿入物アセンブリ２８は、開位置において、製品１６によって生成されるオフガスが、挿入物アセンブリ２６を通じて漏れ出て封じ込めシステム１０の容器１２内の圧力を低減するように、開位置と閉位置との間で移動し得る。
【００１８】
図３は、本発明だが本発明の実施形態に従う封じ込めシステム１０と共に使用するための挿入物アセンブリ２６の断面図を示す。示されるように、前記アセンブリは、通路２２及び取り付け具本体２０を通って延びる挿入物３０と共に取り付け具１８を含む。述べたように、取り付け具１８は、そこを通って延びる取り付け具通路２２と共に取り付け具本体２０を含む。取り付け具１８はまた、製品容器１２の外側にある取付け具本体２０の端部にフランジ２４を含む。挿入物３０は、挿入物本体３２の外側又は第２の端部３６に拡張部３４を含む挿入物本体３２を一般的に含む。挿入物３０はまた、挿入物本体４０の内側又は第１の部分に伸長部３８を含む。挿入物本体３２の伸長部３８の一般的な位置は、突出部４２である。図３に示されるように、挿入物本体３２の伸長部３８は、取り付け具本体２０の取り付け具通路２２内に挿入されるように構成される。さらに、挿入物本体３２の突出部４２は、閉位置において、突出部４２が取付け具通路２２を介して通路を遮断する一方で、開位置において、挿入物３０は、突出部が取り付け具通路２２を通じてガス及び／又は液体の通過を許容するように上方へスライドされるように、取り付け具本体２０に装着されるよう構成される。挿入物３０はまた、流体の通過を許容する挿入物通路４６を含んでもよい。さらに、挿入物本体３２の拡張部３４は、拡張部３８の壁の内部４４部分を含むように、空洞に構成されてもよい。本発明で使用され得る取り付け具、挿入物の一例としては、ＩＰＮ  ｇｒｏｕｐ，  ７００  ｄｉｖｉｄｅｎｄ  ｄｒｉｖｅ，  ｓｕｉｔｅ  ５００，  Ｐｅａｃｈ  Ｔｒｅｅ  Ｃｉｔｙ，  Ｇｅｏｒｇｉａ  ３０２６９から得られる、型番ｓｐｓ４の雄及び雌であってもよい。さらに、取り付け具、挿入物１８、３０は、米国特許第６１２６０４５号明細書に開示され、ここでは、その全体が組み入れられる。しかしながら、他の型番及び製品が取り付け具１８及び挿入物３０用に使用されてもよいことが理解されるべきである。さらに、取り付け具１８及び挿入物３０は、本発明の別の目的のために所望の特性を果たすか又は有するように特注されてもよい。
【００１９】
ベントアセンブリ２８の一部として図３及び図４に示されるように、第１の端部５０、反対の第２の端部５２を有するキャリア４８は、挿入物３０の中空の拡張部３４内に配置される。キャリアは、そこを通過する開口部５５を規定する内壁５４及び外壁５６を有することが示される。したがって、キャリア４８は、そこを通過する両末端開口を有する中空部材であると考えられてもよい。キャリア４８の形状は、挿入物３０の拡張部３４の内部４４の形状と一致する又はマッチするように構成される。したがって、拡張部３４が円形である場合、キャリア４８も、そこを通過する開口部と共に円形になるであろう。しかしながら、拡張部３４及びキャリア４８の両方は、一般的に形状を備え得ることが理解されるべきである。本発明の実施形態によれば、キャリア４８は、挿入物３０の拡張部３４の内部４４内に摩擦嵌合するようなサイズにされる。したがって、キャリア４８の外壁５６は、キャリアが挿入物３０の拡張部３４の内部４４に配置される場合、キャリア４８が所定の位置に維持され、かつ、拡張部３４の内部４４内に容易に移動しないように、拡張部３４の内部４４のサイズにほぼ等しくなる。
【００２０】
キャリア４８に接続された膜５８も図に示される。膜５８はｅＰＴＦＥのような液体不透過性材料を含む。この特定の材料は、ガスがそこを通過することを許容する一方で、いかなる液体もそこを通過することを許容しない。したがって、膜は、容器１２中の製品１６によって生成されるオフガスがそこを通過することを許容する一方で、製品１６自体が、封じ込めシステム１０の挿入物アセンブリ２６を介して漏れない又は漏れ出ないことを保証するだろう。しかしながら、液体不透過である一方で、ガスをよく通過させられる他の材料も本願発明で使用され得ることを理解すべきである。さらに、膜は、ＰＥバックレイ（back lay）等のポリエチレン（ＰＥ）部分６０を含んでもよい。キャリア４８は、ポリエチレンを傷つける場合がある。したがって、膜５８に取り付けられたＰＥバックレイ又は部分６０は、キャリア４８に膜５８を取り付けるために使用されてもよい。例えば、図５に最も良く示されるように、ＰＥ部分６０は、膜５８よりも大きいサイズであってもよい。したがって、ＰＥ部分６０は、キャリア４８の一部に取り付けられ得る。それは図５に示され、膜５８は、第１の端部５０から延びる膜５８と共にキャリア４８の第１の端部５０に取り付けられてもよい。次いで、ＰＥバックレイ６０は、例えば、ＰＥバックレイ６２をＰＥキャリア４８に溶接することにより、キャリア４８の第１の端部５０に対するキャリアに接着又は固定され得る。図中の符号６２で示されるように、溶接は、熱、高周波、超音波溶接、摩擦溶接、レーザ溶接等によって達成され得る。溶接の具体的な種類は、本発明が、その全ての任意の種類を含むことが考えられている中で、本発明を限定するものではない。さらに、膜５８のＰＥ部分６０は、溶接以外の手段によって、キャリア４８に固定されてもよい。例えば、接着剤が、キャリア４８にＰＥ部分６０及び膜５８を取り付けるために使用されてもよい。さらに、膜５８は、全ての構成においてＰＥ部分を要する必要はないことが理解される。例えば、膜は、接着剤等のような手段により、単独でキャリア４８に接着又は固定され得る。
【００２１】
図６ａ〜６ｃは、本発明で使用するためのベントアセンブリ２８の追加の実施形態を示す。これまで検討したように、ベントアセンブリ２８は、キャリア４８の第１の端部５０に取り付けられたＰＥ部分６０を含む膜５８を備えるキャリア４８を含む。膜は、挿入物３０及び取り付け具１８の通路２２、４６と直接接触し得るように、向きを合わされて配置される。したがって、膜は、製品１６によって生成されるオフガスがそこを通過することを許容する一方で、液体製品１６自体がそこを通過することを許容しないであろう。したがって、ベントアセンブリ２８は、迅速かつ容易に、液体製品１６に隣接する膜５８を正確に向きを合わせるために使用され得る。例えば、いったん挿入物アセンブリ２６の取り付け具１８及び挿入物３０がパウチ１２内に配置されると、キャリア４８に取り付けられた正確に向きを合わされた膜５８を含むベントアセンブリ２８は、挿入物３０の拡張部３４の内部４４に挿入され得る。キャリアが挿入物３０内に摩擦嵌合するような大きさにされるとき、膜は、それが封じ込めシステムの輸送又は取扱い中に製品１６の漏れを防止又は軽減するように、液体製品１６に直接隣接して配置されるであろう。これは、容器１２中の液体製品１６によって生成されるオフガスを防止することが、液体が膜を通過して容器の外側に流れることを許されるように膜５８を湿潤させ得る漏れの量を軽減していないことを提供する従前の試みとして有利である。
【００２２】
ある特定の状況では、キャリア４８に対して膜５８の位置を移動させることが有利であり得る。例えば、図６ａは、外側の膜５８部分及びキャリアの内部に隣接するＰＥバックレイ６０と共に、キャリアの第１の端部５０に取り付けられた膜５８を示しているが、他の構成を利用してもよい。図６ｂは、容器４８の開口部５５内の膜の位置を示している。この構成では、ＰＥ部分６０は、キャリア４８の第１の端部５０と第２の端部５２との間のどこかの位置でキャリア４８の内壁５４に接着又は溶接（６２）されている。図６ｃは、キャリア４８の第２の端部５２に配置された膜５８と、キャリア４８の第２の端部５２に溶接又は接着（６２）されたＰＥ部分６０とを示している。この位置で膜５８を配置することは、液体製品１６をキャリア４８の開口部５５内にいくらか通すことを許容し、容器１２に対してより大きな容積量を提供するだろう。したがって、膜５８は、本発明のベントアセンブリ２８を作製するために、キャリア４８に対してどこでも一般的に配置されてもよいことが理解されるべきである。キャリア４８に対する膜５８の正確な位置は、容器１２中の液体製品１６の正確な組成によって決定されてもよい。
【００２３】
さらに上記のように、キャリア４８ひいては膜５８は、一般的に、任意の形状及びサイズを備え得る。例えば、図７ａ〜７ｃは、ベントアセンブリ２８のキャリア４８が取り得るほんのいくつかの異なる形状を示している。図７ａは、一般的に正方形又は長方形の構造のキャリア４８を示し、図７ｂは、一般的に三角形の構造のキャリア４８を示し、図７ｃでは、一般的に卵形又は楕円形の構造のキャリア４８を示している。図の目的は、キャリア４８ひいては膜５８の構造は、挿入物３０の構造及び形状にマッチするように構成されるべきである。上記のように、本発明の実施形態において、キャリア４８は、挿入物３０の中空部内に摩擦嵌合されるように構成される。しかしながら、キャリア４８は、他の手段によって、挿入物３０に接着され又はさもなければ固定されてもよいことを理解すべきでもある。接着剤が使用されてもよく、キャリア及び挿入物が共に溶接されてもよく、又は他の方法がキャリアを挿入物に固定若しくは取り付けるために使用されてもよい。さらに、キャリア４８が含まれない場合があることも本発明によって熟慮される。この構造では、ＰＥバックレイ６０を含む膜５８は、挿入物３０に直接取り付けられ又は接着されて、容器１２中の液体製品１６によって生成されたオフガスのベントを提供してもよい。例えば、膜５８のＰＥ部分６０は、挿入物３０の拡張部３４の内部４４に直接取り付けられて、液体製品１６自体がそこを通過することを防止しながら、ガスがそこを通過することを許容し得る。
【００２４】
したがって、上記のように、いったん取り付け具１８が、液体製品１６を含む容器１２の壁１４介して配置されると、拡張部３４及び伸長部３８を含む挿入物３０は、取り付け具本体２０の通路２２を介して挿入される。閉位置において、取り付け具１８及び挿入物３０のアセンブリは、ガス又は液体がそこを通過することを許さないであろう。しかしながら、開位置において、挿入物３０は、そこを通る通路２２、４６を開放するために、取り付け具１８に対して動かされ、液体製品１６によって生成されるオフガスが、そこを通過することを許容するだろう。しかしながら、液体製品自体が通路を通って漏れることも防止するために、キャリア４８及び膜５８を含むベントアセンブリ２８は、挿入物３０の拡張部３４に含まれる。キャリア４８の第１の端部５０に配置される膜５８は、オフガスが膜５８を通過し得るように、ｅＰＴＦＥの構成物が取り付け具１８及び挿入物３０の通路２２、４６に隣接して配置されるように配置される。しかしながら、膜が流動性及び透過性であるとき、膜５８は、例えば、容器１２のスロッシング又は輸送の間、いかなる液体製品１６もそこを通過することを許容しないであろう。
【００２５】
したがって、ベントアセンブリ２８は、使用し易く、向きを合わせ易く、かつ置換し易い、オフガス生成製品１６と共に使用するためのアセンブリを提供する。上記のように、膜５８を含むキャリア４８は、膜が正確に向きを合わされるように、挿入物３０に容易に挿入され得る。さらに、万一、膜５８が湿潤したら、キャリアは素早くかつ容易に挿入物３０から除去され、キャリア４８及び膜５８を含む新たなベントアセンブリ２８が挿入物３０に挿入され得る。
【００２６】
先の記述は、例示及び銘（inscription）のために提示されており、リストを使い尽くすこと又は開示される本発明の正確な形態を限定することを意図するものではない。当業者に自明の他の代替方法が本発明に含まれるとみなされることが熟慮される。前記の記述は単に実施形態の例である。例えば、膜が、ＰＥバックレイを備える、ｅＰＴＦＥ材料として記載されている一方で、他の材料がこれらの膜及び／又はバックレイの両方に使用され得ることが熟慮される。さらに、キャリア４８がポリエチレンを含むことも述べられている。他の材料がキャリア４８を作製するために使用され得ることが熟慮される。また検討されたように、取り付け具１８、挿入物３０、キャリア４８、及び膜５８のサイズ、形状及び他の構造がまた、本発明の異なる実施形態に従って変えられ得る。本発明の意図された精神及び範囲内で、他の変更、置換、及び／又は追加がなされ得ることが理解される。上記では、本発明は少なくとも全ての記載された目的を達成することが理解され得る。
以下の項目［１］〜［２０］に、本発明の実施形態の例を列記する。
［１］
液体製品を含むパウチと共に使用するためのパウチ取り付け具用の挿入物アセンブリであって、
通路を備えるベント型挿入物、
前記挿入物に動作可能なように取り付けられたキャリア、及び、
キャリアに取り付けられ、かつ、前記通路に流動的に結合され、製品からのガスがそこを通過することを許容する膜、を備える、挿入物アセンブリ。
［２］
膜が液体不透過性である、項目１に記載の挿入物アセンブリ。
［３］
膜が延伸ポリテトラフルオロエチレン（ｅＰＴＦＥ）とポリエチレンの裏材とを備える、項目１に記載の挿入物アセンブリ。
［４］
膜のポリエチレンの裏材がキャリアに取り付けられている、項目３に記載の挿入物アセンブリ。
［５］
キャリアが、第１の端部、第２の端部、内壁及び外壁を有する中空形状を備える、項目１に記載の挿入物アセンブリ。
［６］
膜はキャリアの第１の端部でキャリアに取り付けられている、項目５に記載の挿入物アセンブリ。
［７］
膜はキャリアの内壁内の領域に実質的に等しいサイズにされている、項目５に記載の挿入物アセンブリ。
［８］
膜はキャリアの第１及び第２の端部の間に配置される、項目５に記載の挿入物アセンブリ。
［９］
キャリアは中空の円筒形状である、項目５に記載の挿入物アセンブリ。
［１０］
オフガスが生じる製品を含むパウチのベントを補助するためのベントアセンブリであって、
第１の端部から第２の端部に延在する開口部を備え、かつ内壁及び外壁を含むキャリアと、
キャリアの内壁内の領域に実質的に等しい領域を遮断するように、キャリアに取り付けられた膜と、を備え、
前記膜は液体不透過性材料を含む、ベントアセンブリ。
［１１］
膜がバックレイをさらに備え、該バックレイがキャリアに取り付けられている、項目１０に記載のベントアセンブリ。
［１２］
バックレイがポリエチレン材料である、項目１１に記載のベントアセンブリ。
［１３］
ポリエチレン材料がキャリアに溶接されている、項目１２に記載のベントアセンブリ。
［１４］
膜は延伸ポリテトラフルオロエチレン（ｅＰＴＦＥ）を含む、項目１０に記載のベントアセンブリ。
［１５］
膜はキャリアの第１の端部に配置される、項目１０に記載のベントアセンブリ。
［１６］
製品の封じ込めシステムであって、
液体製品を保持するように構成されたパウチ容器と、
前記容器に結合された取り付け具と、
開位置及び閉位置に配置可能である前記取り付け具中のベント型挿入物と、
前記ベント型挿入物に取り付けられるベントアセンブリであって、キャリアを貫通する開口部及びキャリアに取り付けられる液体不透過性膜を有するキャリアを備えるベントアセンブリと、を備え、
前記ベントアセンブリの膜は、前記ベント型挿入物が開位置にあるときに、液体製品からのガスが前記ベントアセンブリを通過することを許容する、製品の封じ込めシステム。
［１７］
前記挿入物は、容器内に少なくとも部分的にある、項目１６に記載の製品の封じ込めシステム。
［１８］
液体不透過性膜は、容器の外側にある、項目１７に記載の製品の封じ込めシステム。
［１９］
膜は延伸ポリテトラフルオロエチレン（ｅＰＴＦＥ）部分及びポリエチレン部分を含む、項目１６に記載の製品の封じ込めシステム。
［２０］
膜のｅＰＴＦＥ部分が、キャリアの開口部のサイズに実質的に等しいサイズにされている、項目１９に記載の製品の封じ込めシステム。
【図１】
0006480347.tif 000002
【図２】
0006480347.tif 000003
【図３】
0006480347.tif 000004
【図４】
0006480347.tif 000005
【図５】
0006480347.tif 000006
【図６Ａ】
0006480347.tif 000007
【図６Ｂ】
0006480347.tif 000008
【図６Ｃ】
0006480347.tif 000009
【図７Ａ】
0006480347.tif 000010
【図７Ｂ】
0006480347.tif 000011
【図７Ｃ】
0006480347.tif 000012